(57)【要約】【課題】カッター３０の切換板４７の開閉をカッターの回動支点側の側板３３に組み込む電動モータ５１によって行うことによって操作力の軽減等を図る、という技術的思想を実際に採用する上で、電動モータ等の配置や取付方法を見直して安価にして実用に耐え得るコンバインを提供する。【解決手段】電動モータ５１は、その切換板４７の駆動機構と共にブラケット６４、６９に一体的に取り付けて駆動ユニットＵを構成し、この駆動ユニットＵをカッターの側板３３とその外方となる上下方向の支持フレーム３４の間に配置して、そのブラケットを側板３３と支持フレーム３４に複数の締結具で着脱自在に取り付ける。【選択図】図６
2020092637.tif 000002
【特許請求の範囲】
【請求項１】
刈取部によって刈り取った穀稈を脱穀する脱穀部と、脱穀した後の排稈を後方に移送する排藁搬送装置と、機体フレームに立設するステーにその一側に設ける支持フレームを介して回動自在に取り付けるディスク型カッターを備え、この支持フレーム側に設ける電動モータによって切換板を開閉作動させ、排藁搬送装置によって移送した排稈をカッターの後方へ排出する排出状態と、カッターによって細断して放出する切断状態に切換可能に設けるコンバインにおいて、前記電動モータは、その切換板の駆動機構と共にブラケットに一体的に取り付けて駆動ユニットを構成し、この駆動ユニットをカッターの側板とその外方となる上下方向の支持フレームの間に配置して、そのブラケットを側板と支持フレームに複数の締結具で着脱自在に取り付けることを特徴とするコンバイン。
【請求項２】
前記ブラケットの前部寄りの内方側に電動モータをその出力軸が下方となるように上下方向に取り付けると共に、電動モータの出力軸に設ける駆動歯車と噛み合うセクター歯車をブラケットの後部寄りの外方側に軸支し、これら駆動ユニットを側板の前部寄り下方側に配置して、側板に軸支する鋸刃軸と掻込軸、或いは排藁搬送装置のレールを伸縮作動させる連係機構等の作動に支障がないように取り付けることを特徴とする請求項１に記載のコンバイン。
【請求項３】
前記電動モータと切換板の駆動機構を取り付けるブラケットに排藁搬送装置のレールを伸縮作動させる操作ワイヤーの受け座を一体に形成することを特徴とする請求項２に記載のコンバイン。
【発明の詳細な説明】
【技術分野】
【０００１】
本発明は、刈取部によって刈り取った穀稈を脱穀する脱穀部と、脱穀した後の排稈を後方に移送する排藁搬送装置と、機体フレームに立設するステーにその一側に設ける支持フレームを介して回動自在に取り付けるディスク型カッターを備え、この支持フレーム側に設ける電動モータによって切換板を開閉作動させ、排藁搬送装置によって移送した排稈をカッターの後方へ排出する排出状態と、カッターによって細断して放出する切断状態に切換可能に設けるコンバインに関する。
【背景技術】
【０００２】
稲や麦を刈り取りながら脱穀するコンバインは、刈取部によって刈り取った穀稈を脱穀部によって脱穀選別処理し、また、脱穀した後の排稈を排藁搬送装置によって後方に移送し、この排稈をディスク型カッターの切換板を閉じてカッターの後方からそのまま圃場に長藁として排出したり、切換板を開いてカッターの掻込刃と切断刃によって細断して切藁として圃場に放出することが知られている。
【０００３】
また、このディスク型カッターは、その詰まりの除去やカッター自体や脱穀装置のメンテナンスを行い易くするために、機体フレームに立設するステーにその一側に設ける支持フレームを介して回動自在に取り付け、その回動支点を中心にして他側を機体の前後方向に開閉自在になすことが知られている。
【０００４】
そして、このように脱穀部の後方にカッターを回動自在に取り付けると共に、カッターの切換板の開閉作動を操作力軽減や遠隔操作のために電動モータで行わせる場合、この電動モータをカッターの回動支点側のサイドフレーム（側板）に組み込むことで、電動モータと切換板との連係機構を簡略化して、カッターの回動を阻害することを防止することが知られている（特許文献１参照）。
【先行技術文献】
【特許文献】
【０００５】
【特許文献１】特開平１０−１０８５３５号公報
【発明の概要】
【発明が解決しようとする課題】
【０００６】
上記特許文献１に記載されたコンバインは、電動モータをカッターの回動支点側の側板に組み込むことで、電動モータと切換板との連係機構を簡略化して、カッターの回動を阻害することを防止するうえで有用な技術である。しかし、係る特許文献１に記載のものでは、電動モータと電動モータの出力ギアに噛合して切換板の開閉作動を行う扇型ギア等をモータブラケットに組付け、このモータブラケットをカッターの回動支点側の側板の外側面に取付けプレートを介して取り付ける。
【０００７】
そのため、モータブラケットと共に取付けプレートの肉厚を上げる等して剛性を高めなければ、カッターの駆動時に発生する振動等によって重量のある電動モータ等がモータブラケットと共に振れて最悪の場合、取付けプレートやモータブラケットが変形したり損傷する虞がある。また、このものでは取付けプレートやモータブラケットをカッター側板から突出する掻込軸や鋸刃軸のメタル（軸受け部）に重なって設けているから、モータブラケットを取り外さなければこれらのメンテナンスを行うことができない虞がある。
【０００８】
しかも、カッターの側板に取付けプレートを介して取り付けるモータブラケットに対して、重量のある電動モータを側板から離れる外方に設ける一方、比較的軽量であるが回動スペースを必要とする扇型ギア等は側板に近接するモータブラケットの内方側に設けるから、上述の電動モータ等の振れを助長すると共に、扇型ギア等が掻込軸や鋸刃軸のメタルに近接してこれらと干渉する可能性が増すことになる。
【０００９】
さらに、特許文献１では、電動モータ等やこれらを取り付けるモータブラケットを含めてカッターの側板の外側面全体をサイドカバーで覆っているから、電動モータの出力ギアと扇型ギアとの噛合部に異物が侵入したり、電動モータに雨水等が掛からずこれらの故障を防止するうえで好ましい。しかし、逆に言えば電動モータ等のメンテナンスを行うためには、サイドカバーを取り外す必要があり、余分な手間が掛かることになる。
【００１０】
そこで、本発明は、特許文献１に記載されたカッターの切換板の開閉をカッターの回動支点側の側板に組み込む電動モータによって行うことによって操作力の軽減等を図る、という技術的思想を実際に採用する上で、電動モータ等の配置や取付方法を見直して安価にして実用に耐え得るコンバインを提供することを課題とする。
【課題を解決するための手段】
【００１１】
本発明のコンバインは、上記課題を解決するために、刈取部によって刈り取った穀稈を脱穀する脱穀部と、脱穀した後の排稈を後方に移送する排藁搬送装置と、機体フレームに立設するステーにその一側に設ける支持フレームを介して回動自在に取り付けるディスク型カッターを備え、この支持フレーム側に設ける電動モータによって切換板を開閉作動させ、排藁搬送装置によって移送した排稈をカッターの後方へ排出する排出状態と、カッターによって細断して放出する切断状態に切換可能に設けるコンバインにおいて、前記電動モータは、その切換板の駆動機構と共にブラケットに一体的に取り付けて駆動ユニットを構成し、この駆動ユニットをカッターの側板とその外方となる上下方向の支持フレームの間に配置して、そのブラケットを側板と支持フレームに複数の締結具で着脱自在に取り付けることを特徴とする。
【００１２】
また、本発明のコンバインは、前記ブラケットの前部寄りの内方側に電動モータをその出力軸が下方となるように上下方向に取り付けると共に、電動モータの出力軸に設ける駆動歯車と噛み合うセクター歯車をブラケットの後部寄りの外方側に軸支し、これら駆動ユニットを側板の前部寄り下方側に配置して、側板に軸支する鋸刃軸と掻込軸、或いは排藁搬送装置のレールを伸縮作動させる連係機構等の作動に支障がないように取り付けることを特徴とする。
【００１３】
さらに、本発明のコンバインは、前記電動モータと切換板の駆動機構を取り付けるブラケットに排藁搬送装置のレールを伸縮作動させる操作ワイヤーの受け座を一体に形成することを特徴とする。
【発明の効果】
【００１４】
本発明のコンバインによれば、カッターの切換板の開閉を行う電動モータは、その切換板の駆動機構と共にブラケットに一体的に取り付けて駆動ユニットを構成し、この駆動ユニットをカッターの側板とその外方となる上下方向の支持フレームの間に配置して、そのブラケットを側板と支持フレームに複数の締結具で着脱自在に取り付ける。
【００１５】
そのため、電動モータや駆動機構からなる駆動ユニットをカッターの側板とその外方となる上下方向の支持フレームに、云わば両持ち状態で強固に取り付けることができ、カッター振動等に伴うこれらの振れを抑制して、ブラケットの変形等を生じさせることなく駆動ユニットの耐久性を向上させることができる。また、カッターの側板とその外方となる上下方向の支持フレームは、その上下方向の中途をブラケットによって連結して相互に補強することになるから、カッターの振動自体も抑制することができる。
【００１６】
さらに、電動モータや駆動機構をブラケットに一体的に取り付けて駆動ユニットを構成するから、電動モータの故障等に対して切換板との連係や電源コネクタ等を取り外した上で、側板と支持フレームに締結する締結具を取り外せば、駆動ユニットを取り外して電動モータ等を交換することができ、しかも、これらのメンテナンスを行う際に例えば、側板の外側面全体を覆うサイドカバー等を着脱することなく、鋸刃軸のメタル等を覆う右後部カバーを着脱するだけであまり手間を掛けずにメンテナンスを行うことができる。
【００１７】
また、前記ブラケットの前部寄りの内方側に電動モータをその出力軸が下方となるように上下方向に取り付けると共に、電動モータの出力軸に設ける駆動歯車と噛み合うセクター歯車をブラケットの後部寄りの外方側に軸支し、これら駆動ユニットを側板の前部寄り下方側に配置して、側板に軸支する鋸刃軸と掻込軸、或いは排藁搬送装置のレールを伸縮作動させる連係機構等の作動に支障がないように取り付ける。
【００１８】
そして、このように構成すると電動モータをブラケットの前部寄りの内方側に取り付けて、重量のある電動モータをカッターの側板の外方側に近接させて設けることになるから、駆動ユニットの重心を側板側に近づけてブラケットに生ずる曲げモーメントを減少させることができる。一方、比較的軽いセクター歯車等はブラケットの後部寄りの外方側に軸支するから、セクター歯車等をカッターの側板の外方側に離して設けることができ、これによって側板の外方側に突出する鋸刃軸や掻込軸、或いはそれらのメタルとの干渉を防止することができる。
【００１９】
そのうえ、駆動ユニットを側板の前部寄り下方側に配置するから、側板の中央や後部寄りに軸支する鋸刃軸や掻込軸、また、それらのメタルにセクター歯車等が極力重合しないように設け、鋸刃や掻込刃等の交換修理の際に駆動ユニットを取り外さなくとも、鋸刃軸や掻込軸を取り外すことができるようにする。また、電動モータによって切換板の開閉作動と共に排藁搬送装置のレールの伸縮作動を行わせる場合には、電動モータをカッターの側板の外方側に近接させて設け、そのレールを伸縮作動させる連係機構等をその作動に支障を生じない電動モータの外方側に設けることができる。
【００２０】
また、前記電動モータと切換板の駆動機構を取り付けるブラケットに排藁搬送装置のレールを伸縮作動させる操作ワイヤーの受け座を一体に形成すると、排藁搬送装置のレールを伸縮作動させる操作ワイヤーの受け座をカッターの側板や支持フレームに固着して設ける必要が無くなると共に、電動モータや切換板の駆動機構と干渉しない位置に操作ワイヤーを確実に通すことができ、互いの損傷等を未然に防止することができる。
【図面の簡単な説明】
【００２１】
【図１】コンバインの右側面図である。
【図２】コンバインの平面図である。
【図３】カッターの左側面図である。
【図４】切換板を切断状態に切り換えた状態を示すカッターの右側面図である。
【図５】切換板を排出状態に切り換えた状態を示すカッターの右側面図である。
【図６】駆動ユニットの右側面図である。
【図７】駆動ユニットの平面図である。
【図８】排藁搬送装置のレールとの連係状態を示す説明図である。
【図９】電動モータ故障時のリンクプレートの固定方法示す右側面図である。
【発明を実施するための形態】
【００２２】
本発明の実施形態を図面に基づいて説明する。図１及び図２に示すように稲や麦を刈取りながら脱穀する４条刈りの自脱型コンバイン１は、略矩形状に枠組みする機体フレーム（機体）２の下方に走行フレーム３を介して左右のクローラ走行装置を設ける。なお、左右のクローラ走行装置は、トランスミッションケース４の左右から突出する駆動軸に取り付ける駆動スプロケット５と、走行フレーム３に軸支するアイドルホイール６及びトラックローラ７と、これらに巻回するゴムクローラ８を備える。
【００２３】
また、機体フレーム２の機体前進方向の右側前部には、略矩形状になす運転フレーム９を一体的に連結し、この運転フレーム９及びその後方の機体フレーム２にかけて操縦部１０を設ける。なお、操縦部１０はフロアの後方に運転席を設け、また、フロアの前部にはフロントコンソール（前部操作盤）を、フロアと運転席の左側にはサイドコンソール（側部操作盤）を設け、この操縦部１０をキャビン１１によって覆っている。
【００２４】
また、機体フレーム２の左側前部から操縦部１０の前方にかけて刈取部１２を図示しない油圧シリンダによって昇降自在に設ける。そして、刈取部１２は、その前端下部に設ける分草体１３とナローガイド１４によって、圃場の立毛穀稈を刈取穀稈と未刈取穀稈とに区分けし、左右の分草体１３の間に入った刈取穀稈を引起爪を備える引起装置１５によって引起し、その後、突起付き掻込ベルトとスターホイールで構成する掻込装置で寄せ集めながら穀稈の株元をレシプロ方式の刈刃装置１６によって切断する。
【００２５】
さらに、刈刃装置１６によって切断して刈取った穀稈は、掻込装置のスターホイールと突起付き株元搬送チェンで後方に送り、後方に送った穀稈の株元側は突起付き搬送チェーンで構成する株元搬送装置と扱深さ搬送装置と補助搬送装置１７によって後上方に向けて搬送し、また、穀稈の穂先側はこれらの上方側に設ける穂先搬送装置１８の搬送チェーンに取り付ける搬送爪に係止して搬送する。
【００２６】
また、脱穀部１９は、刈取部１２後方の機体フレーム２の左側に設け、その上方を覆うシリンダーカバー２０の下方に第１と第２の扱室を設ける。この内、第１扱室には刈取部１２から搬送されてきた穀稈を扱口に沿って搬送する脱穀フイードチェン２１とその挟持レール、扱歯を備える第１扱胴とその受網等を設ける。また、第２扱室は第１扱胴の後端穂先側より機体の後方に向かうように第１扱室に併設し、第１扱室で脱粒処理しきれなかった穀粒の混ざった藁屑等を処理する第２扱胴とその受網を設ける。さらに、扱室の下方には選別室を設ける。
【００２７】
この選別室には揺動運動する揺動流板、１番螺旋及び２番螺旋、唐箕ファン及び吸引排塵ファン等を設け、扱室の受網より漏下した穀粒等を揺動流板上において選別し、選別した穀粒は１番螺旋から揚穀螺旋を備える揚穀装置２２を介してグレンタンク２３に移送し、藁屑等が混じった２番物は２番螺旋から２番還元螺旋を介して揺動流板上に戻す。また、揺動流板の終端に至った藁屑、吸引排塵ファンに捕捉された藁屑、或いは第２扱胴の終端から排出された藁屑は、脱穀部１９の後部から機外に排出する。
【００２８】
さらに、前記グレンタンク２３は、操縦部１０の後方に設けるディーゼルエンジン等から構成する原動部２４のさらに後方に設け、揚穀装置２２によって移送された穀粒を一時的に貯留する。また、グレンタンク２３内に穀粒が満杯になると、グレンタンク２３の下部に設ける横ラセンとグレンタンク２３の後方に旋回並びに昇降自在に設ける排出オーガの縦パイプ２５内に設ける縦ラセンを駆動して、グレンタンク２３から穀粒を機外のコンテナ等に放出する。
【００２９】
そして、脱穀処理を完了して扱室から排出される排稈は、突起付き株元排藁チェーン２６とその挟持レール２７と搬送爪付き穂先排藁チェーン２８等で構成する排藁搬送装置２９によって機体の後部に設けるディスク型カッター３０に向けて右斜め後方に移送する。また、ディスク型カッター３０は排藁搬送装置２９によって移送した排稈を、カッター３０の後方へ排出したり、カッター３０によって細断して刈取跡地に切藁として放出する。
【００３０】
次に、上述のディスク型カッター３０について詳しく説明すると、図３乃至図５に示すようにディスク型カッター３０は、前寄り上端部に設ける角パイプ３１の左右にそれぞれ側板３２、３３を固着すると共に、右側の側板３３の外方側にコ字状のアングル材によって構成する上下方向の支持フレーム３４を、上記角パイプ３１の右端から後方に向かう丸パイプ３５や右側の側板３３、或いは右側板３３の後端下部寄りから前方に向かう丸パイプ３６等に、その上部寄りと下部寄りを固着してカッターフレームを構成する。
【００３１】
また、このカッターフレームの上部には、排藁搬送装置２９によって移送した排稈を導入する導入口３７を設ける一方、下部には、カッター３０によって切断した切藁を排出する排出口３８を設ける。そして、左右の側板３２、３３間にディスク状の鋸刃を軸方向に複数取り付けた鋸刃軸３９と、掻込刃を軸方向に複数取り付けた掻込軸４０を平行状に配置して側板３２、３３に設けるメタル４１、４２で左右端寄りを軸受する。
【００３２】
さらに、左側板３２の外側方に設ける鋸刃軸３９のプーリ４３を脱穀部１９の２番ラセン軸からＶベルト４４を介して駆動すると、鋸刃軸３９と掻込軸４０とは所定の周速差をもって互いに逆方向の内向き回転するように中間軸４５を介してチェンとギヤを介して連動連結する。なお、実施例に示すカッター３０は切藁の長さを長短に変更することができる切断長可変型のカッタとなっており、鋸刃軸３９に大径の鋸刃と小径の鋸刃を組付ける一方、掻込軸４０の位置を藁切断長さ切替レバー４６によって変えることによって大小の鋸刃と掻込刃の噛み合い状態を変えて、切断長を長短に変更することができる。
【００３３】
そして、上記鋸刃と掻込刃が噛み合った状態（短切り／長切り）においてカッター３０を駆動すると、導入口３７から導入される排稈が鋸刃と掻込刃によって掻き込まれて切断され、また、切断された切藁はその下方の排出口３８から刈取跡地に排出されることになる。なお、鋸刃や掻込刃の交換のために鋸刃軸３９や掻込軸４０を取り外す際には、藁切断長さ切替レバー４６を刃交換位置に切り替えれば、鋸刃と掻込刃が噛み合わない状態に軸間を広げて軸交換を容易に行うことができる。
【００３４】
一方、カッター３０の導入口３７には、この導入口３７を開いて排稈の導入を許容する切断姿勢（切断状態）と、導入口３７を閉じて排稈の導入を不能にする排出姿勢（排出状態）とに回動変姿自在な切換板４７を設ける。そして、この切換板４７は導入口３７の後端縁部の左右側板３２、３３に支軸４８を介して上下回動自在に支持し、切断姿勢（図４参照）における切換板４７は所定の開き角度に保持され、その下面で排稈の導入を案内する一方、排出姿勢（図５参照）における切換板４７はその上面傾斜によって排稈をカッター３０後方まで案内して、そのまま機体の後方に放出するガイド部材として機能する。
【００３５】
また、カッター３０の導入口３７の前端縁部には支軸４９を介して上下回動自在に設ける導入ガイド板５０を設ける。そして、この導入ガイド板５０は導入口３７の前端部からカッター３０内方に下り傾斜状に延出して排稈を鋸刃と掻込刃の間に導入案内する切断姿勢（切断状態）と、導入口３７の前端部を閉じて切換板４７とともにその上面傾斜によって排稈をカッター３０後方まで案内する排出姿勢（排出状態）とに回動変姿自在に構成する。そして、これ等の切換板４７と導入ガイド板５０は、後述する電動モータ５１によって連動して開閉作動するように構成する。
【００３６】
さらに、カッター３０は、その右端側に設ける支持フレーム３４から外側方に向けて突出する上下の取付座３４ａ、３４ｂを設ける。また一方、排出オーガの縦パイプ２５後方の機体フレーム２には、後方に向けて突出する上下の受座５２ａ、５２ｂを備えるカッターステー５２を立設する。そして、このカッターステー５２の上下の受座５２ａ、５２ｂに支点ピン５３ａ、５３ｂを固着し、この支点ピン５３ａ、５３ｂに支持フレーム３４の取付座３４ａ、３４ｂに設ける孔を上方より嵌合して、カッター３０をこの支点ピン５３ａ、５３ｂを中心として回動自在に取り付ける。
【００３７】
また、カッター３０の角パイプ３１の左端側にフック部３１ａを設け、このフック部３１ａを脱穀部１９の側壁後端のフランジに設けるピン５４に後方から係合させる。そして、当該側壁に取り付けたクランプ５５を用いてカッター３０を脱穀部１９側に固定すると、カッター３０を脱穀部１９の後部に連結して閉じた作業姿勢になすことができる。また、クランプ５５を解除してカッター３０を支点ピン５３ａ、５３ｂを中心として左側を後方へ回動すると、カッター３０の前部側が側方を向くように開放されるので、カッター３０や脱穀部１９のメンテナンスを容易に行うことができる。
【００３８】
さらに、カッター３０は、その前面側すなわち脱穀部１９側を前部カバー５６で覆い、また、カッター３０の後面側は、その上方部位を左右側板３２、３３間を連結する鉄板製の後部カバー５７で覆うと共に、排出口３８となる下方部位を後部カバー５８や左右の側板３２、３３に取り付ける合成樹脂製の下部カバー５９で覆い、カッター３０で切断した切藁を全体的に機体右側の既刈り地側に向けて案内放出できるようにする。
【００３９】
また、脱穀部１９とカッター３０の上部側の左側面には着脱自在な脱穀サイドカバー６０とカッタサイドカバー６１を設け、このサイドカバー６０、６１は、脱穀フイードチェン２１とカッター３０の左側板３２の外方に設ける駆動部を覆う。さらに、カッター３０の上方は門型のカバー６２で覆い、カッター３０の右側壁３３の後部寄りの外方は開閉自在な右後部カバー６３で覆って、鋸刃を交換するためにメタル４１を緩めて鋸刃軸３９を取り外す際にこのカバーを後方に開いて作業を行う。
【００４０】
次に、前述した切換板４７と導入ガイド板５０を電動モータ５１によって開閉作動させる駆動機構について説明する。図６及び図７に示すように、先ず電動モータ５１は直交軸タイプのギヤードモータによって構成する。また、この電動モータ５１を取り付けるブラケット６４は、その前部寄りの下部と後部寄りを内方側（右側板３３側）に折り曲げて更に下方と後方に向かう第１と第２の取付座６４ａ、６４ｂを形成し、このブラケット６４の前部寄りの内方側にその長手方向が上下方向を向き、また、その出力軸５１ａが下方となるように電動モータ５１をボルトによって取り付ける。
【００４１】
また、電動モータ５１の出力軸５１ａに取り付ける駆動歯車６５と、この駆動歯車６５に噛み合ってブラケット６４に回転自在に軸支するセクター歯車６６をブラケット６４の外方側に前後させて組み付け、また、ブラケット６４の外方側の上部寄りの後部にはそのアクチュエータがセクター歯車６６の端部に当接するようにリミットスイッチ６７を取り付ける。なお、駆動歯車６５を取り付ける電動モータ５１の出力軸５１ａの外端部は押え板６８によって回転自在に支持し、この押え板６８を電動モータ５１を取り付けるボルトを用いてブラケット６４に共締めする。
【００４２】
さらに、ブラケット６４の上部寄りは外方側に折り曲げて、この折曲部６４ｃの下面に前後方向となるサブブラケット６９をウエルドボルト７０とナット７１を用いて取り付ける。そして、このサブブラケット６９の前部寄りに操作ワイヤ７２のアウターエンドを通す溝孔を備えるアウター受け座６９ａを一体的に設け、また、サブブラケット６９の後部寄りには左右方向となる第３の取付座６９ｂを一体的に設ける。
【００４３】
そして、このように電動モータ５１とセクター歯車６６等の駆動機構をブラケット６４とサブブラケット６９に一体的に取り付けて駆動ユニットＵを構成し、この駆動ユニットＵをカッター３０の右側板３３の外方側の前部寄り下方側に臨ませ、ブラケット６４の第１と第２の取付座６４ａ、６４ｂにボルト（締結具）を装着してカッター３０の右側板３３に取り付けると共に、サブブラケット６９の第３の取付座６９ｂにボルト（締結具）を装着して、支持フレーム３４の上下方向の中間の前面に溶接して設ける受け座３４ｃに取り付ける。
【００４４】
一方、カッター３０の導入口３７の後端縁部の左右側板３２、３３に回動自在に支持する切換板４７の支軸４８は右側板３３から外方側に張り出させて、この右端部に４節リンク機構の従動節となるリンクプレート７３の基部を取り付ける。また、このリンクプレート７３の自由端側となる中途部に固着するピン７３ａとセクター歯車６６の端部に固着するピン６６ａとを連結プレート７４で結合して、切換板４７を電動モータ５１によって開閉作動可能に連結する。
【００４５】
なお、この場合、連結プレート７４とピン７３ａとの結合は、連結プレート７４に穿設する取付孔をピン７３ａに嵌合させて、ピン７３ａに設ける孔にスナップピン７５を取り付けて連結プレート７４の抜け止めを行っているため、このスナップピン７５の着脱によって切換板４７と駆動ユニットＵを連結したり、その解除を簡単に行うことができる。
【００４６】
また、導入ガイド板５０の支軸４９の右端部に４節リンク機構の従動節となるリンクプレート７６の基部を取り付け、このリンクプレート７６の先端部と切換板４７のリンクプレート７３の中途部とは連結ロッド７７で結合する。そのため、切換板４７のリンクプレート７３が回動すると、従動節となる導入ガイド板５０のリンクプレート７６は連動して回動し、導入ガイド板５０を開閉作動させる。
【００４７】
さらに、図８に示すようにリンクプレート７３の先端部には、操作ワイヤ７２のインナー端部を取り付け、操作ワイヤ７２のアウターエンドをサブブラケット６９のアウター受け座６９ａに取り付ける。そして、操作ワイヤ７２の他側は排藁搬送装置２９の突起付き株元排藁チェーン２６の下方に対向させて設ける挟持レール２７の内、固定レール２７ａの延長線上に設ける可動レール２７ｂに連結する。
【００４８】
そのため、リンクプレート７３が駆動ユニットＵによって回動されて切換板４７と導入ガイド板５０が開作動すると、下流側に設ける可動レール２７ｂは上流側に設ける固定レール２７ａ側にコイルスプリングＳの付勢力によって縮んで、株元排藁チェーン２６と挟持レール２７の挟持状態を早めに解除して、排稈を鋸刃と掻込刃の間に導入し易くする。また、切換板４７と導入ガイド板５０が閉作動すると、可動レール２７ｂは操作ワイヤ７２によって固定レール２７ａから離れる側に伸びて、株元排藁チェーン２６と挟持レール２７の挟持状態を長く保って排稈をより後方まで移送するから、排稈をカッター３０の後方に長藁のまま排出し易くする。
【００４９】
そして、以上のように切換板４７と導入ガイド板５０の開閉作動（切断姿勢と排出姿勢への切換）、或いは排藁搬送装置２９の挟持レール２７の伸縮作動を電動モータ５１の駆動機構によって行うように構成すると、操縦部１０のサイドコンソールに設ける例えば、押しボタンスイッチを押す度に制御回路を介して電動モータ５１は正回転又は逆回転し、また、それによりセクター歯車６６を一定角度内で時計回りと反時計回りに往復運動させて、これらの切換作動を遠隔操作することができる。
【００５０】
また、この場合、電動モータ５１は切換板４７の駆動機構と共にブラケット６４、６９に一体的に取り付けて駆動ユニットＵを構成し、この駆動ユニットＵをカッター３０の側板３３とその外方となる上下方向の支持フレーム３４の間に配置して、そのブラケット６４の第１と第２の取付座６４ａ、６４ｂを一方側の側板３３に、また、ブラケット６９の第３の取付座６９ｂを他方側の支持フレーム３４に３つのボルト（締結具）で着脱自在に取り付ける。
【００５１】
そのため、電動モータ５１や駆動機構からなる駆動ユニットＵをカッター３０の側板３３とその外方となる上下方向の支持フレーム３４に、云わば両持ち状態で強固に取り付けることができ、カッター３０の駆動振動等に伴うこれらの振れを抑制して、ブラケット６４、６９の変形等を生じさせることなく駆動ユニットＵの耐久性を向上させることができる。また、カッター３０の側板３３とその外方となる上下方向の支持フレーム３４は、その上下方向の中途をブラケット６４、６９によって連結して相互に補強することになるから、カッター３０の振動自体も抑制することができる。
【００５２】
さらに、電動モータ５１や駆動機構をブラケット６４、６９に一体的に取り付けて駆動ユニットＵを構成するから、電動モータ５１の故障等に対してスナップピン７５を取り外してリンクプレート７３と連結プレート７４との結合を解除し、また、電動モータ５１の電源コネクタ等を取り外した上で、側板３３と支持フレーム３４に締結するボルトを取り外せば、駆動ユニットＵを取り外して電動モータ５１等を交換することができ、しかも、これらのメンテナンスを行う際に駆動ユニットＵを覆う専用のカバーは設けていないから、右後部カバー６３を取り除いて第２の取付座６４ｂのボルトを取り外し、また、カッター３０を後方に回動して脱穀部１９との間に生じた隙間から第１と第３の取付座６４ａ、６９ｂのボルトを取り外すだけであまり手間を掛けずにメンテナンスを行うことができる。
【００５３】
また、ブラケット６４の前部寄りの内方側に電動モータ５１をその出力軸５１ａが下方となるように上下方向に取り付けると共に、電動モータ５１の出力軸５１ａに設ける駆動歯車６５と噛み合うセクター歯車６６をブラケット６４の後部寄りの外方側に軸支し、これら駆動ユニットＵを側板３３の前部寄り下方側に配置して、側板３３に軸支する鋸刃軸３９と掻込軸４０、或いは排藁搬送装置２９の挟持レール２７を伸縮作動させる操作ワイヤ７２等の作動に支障がないように取り付ける。
【００５４】
そして、このように構成すると電動モータ５１をブラケット６４の前部寄りの内方側に取り付けて、重量のある電動モータ５１をカッター３０の側板３３の外方側に近接させて設けることになるから、駆動ユニットＵの重心を側板３３側に近づけてブラケット６４に生ずる曲げモーメントを減少させることができる。一方、比較的軽いセクター歯車６６等はブラケット６４の後部寄りの外方側に軸支するから、セクター歯車６６等をカッター３０の側板３３の外方側に離して設けることができ、これによって側板３３の外方側に突出する鋸刃軸３９や掻込軸４０、或いはそれらのメタル４１、４２との干渉を防止することができる。
【００５５】
そのうえ、駆動ユニットＵを側板３３の前部寄り下方側に配置するから、側板３３の中央や後部寄りに軸支する鋸刃軸３９や掻込軸４０、また、それらのメタル４１、４２にセクター歯車６６等が極力重合しないように設け、鋸刃や掻込刃等の交換修理の際に格別、駆動ユニットＵを取り外さなくとも、鋸刃軸３９や掻込軸４０を取り外すことができるようにする。
【００５６】
また、ブラケット６９に排藁搬送装置２９の挟持レール２７を伸縮作動させる操作ワイヤ７２のアウター受け座６９ａを一体に形成するから、排藁搬送装置２９の挟持レール２７を伸縮作動させる操作ワイヤ７２のアウター受け座をカッター３０の側板３３や支持フレーム３４に固着して設ける必要が無くなると共に、電動モータ５１や切換板４７の駆動機構と干渉しない外方箇所に操作ワイヤ７２を確実に通すことができ、互いの損傷等を未然に防止することができる。
【００５７】
なお、電動モータ５１等の駆動ユニットＵが故障した際には、切換板４７と導入ガイド板５０の開閉作動、或いは排藁搬送装置２９の挟持レール２７の伸縮作動を遠隔操作によって行うことが出来なくなる。しかし、これ等の修理を行うこと無く取り敢えずそのまま刈取作業を行いたい場合には、先ずスナップピン７５を取り外してリンクプレート７３と連結プレート７４との結合を解除する。
【００５８】
そして、図９に示すようにリンクプレート７３の基部に当接して切換板４７の開放角度を設定するアジャスタボルトＢをブラケットから取り外し、また、リンクプレート７３を手動で回動操作して切換板４７が切断姿勢又は排出姿勢になるように切り換え、さらに、この状態でアジャスタボルトＢをリンクプレート７３の固定孔Ｋに通してブラケットのタップ穴Ｈ１、Ｈ２の何れかに締着すれば、切換板４７と導入ガイド板５０の姿勢、或いは排藁搬送装置２９の挟持レール２７の伸縮を希望する状態に固定保持して刈取作業を行うことができる。
【００５９】
また、前述のように電動モータ５１等の駆動ユニットＵには、これ等を覆う専用のカバーを各別、設けていない。しかし、電動モータ５１等の駆動ユニットＵを含むカッター３０の上方は排藁搬送装置２９の上方に設ける排藁オープンカバー７８と排藁カバー７９、右側方とその上方及び前方はグレンタンク２３の後部カバー８０とカッターステー５２の後部プレートと脱穀部１９の後部カバー、さらに、後方側はカッター３０の右後部カバー６３等によって塞いで実質的に下方側のみを塞いでいないから、電動モータ５１等の駆動ユニットＵに塵埃が降りかかることがなく、これ等の故障を防いでいる。
【００６０】
なお、ディスク型カッター３０は実施例に示す切断長可変型のカッターで無くとも良く、また、導入ガイド板５０を設けないものや、排藁搬送装置２９の挟持レール２７を伸縮作動させないコンバイン１では、電動モータ５１によって切換板４７のみを開閉作動させても良く、本発明は、前記実施形態に限定されるものではない。
【符号の説明】
【００６１】
１    コンバイン
１２  刈取部
１９  脱穀部
２９  排藁搬送装置
３０  ディスク型カッター（カッター）
３４  支持フレーム
４７  切換板
５１  電動モータ
５２  カッターステー（ステー）
６４  ブラケット
６９  サブブラケット（ブラケット）
Ｕ    駆動ユニット
【図１】
2020092637.tif 000003
【図２】
2020092637.tif 000004
【図３】
2020092637.tif 000005
【図４】
2020092637.tif 000006
【図５】
2020092637.tif 000007
【図６】
2020092637.tif 000008
【図７】
2020092637.tif 000009
【図８】
2020092637.tif 000010
【図９】
2020092637.tif 000011